(57)【要約】【課題】  たとえば、プールに利用するときに、いたずらな水質汚濁の危惧がなく、昇降床全体を所望の高さ位置に均一に位置決めることを容易にする。【解決手段】  適宜の手段で昇降する昇降床１を下方から支持する支持脚２が昇降床１に連結される上方脚部材２１と、昇降床１の下方の固定側Ｐ２に連結される下方脚部材２２とを有すると共に、上方脚部材２１と下方脚部材２２との枢着部ａにロック機構３を有してなり、このロック機構３が上記の枢着部ａにおける相互回動を可能にすると共に相互回動阻止を可能にする。【選択図】        図１
2005042387.tif 000002
【特許請求の範囲】
【請求項１】
適宜の手段で昇降する昇降床と、この昇降床を下方から支持する支持脚とを有してなり、支持脚が昇降床に連結される上方脚部材と、昇降床の下方の固定側に連結される下方脚部材とを有すると共に、上方脚部材と下方脚部材との枢着部にロック機構を有し、このロック機構が上記の枢着部における相互回動を可能にすると共に相互回動阻止を可能にしてなることを特徴とする昇降床の支持脚構造
【請求項２】
上方脚部材における昇降床への枢着点と下方脚部材における固定側への枢着点とを結ぶ上下の線を上方脚部材と下方脚部材との枢着点が横切るように越えるとき、支持脚の折り畳みが可能とされ、あるいは、支持脚の折り畳みが阻止されてなる請求項１に記載の昇降床の支持脚構造
【請求項３】
上方脚部材と下方脚部材との枢着部に連繋されると共に水平方向の推力の作用時に支持脚の折り畳み、あるいは、引き展ばしを可能にする外力手段を有してなる請求項１に記載の昇降床の支持脚構造
【請求項４】
支持脚が一方側の支持脚と他方側の支持脚の左右一対とされると共に、この一対となる支持脚間に駆動手段が配在されてなり、この駆動手段の作動で一方側の支持脚と他方側の支持脚のそれぞれに配在のロック機構がロック作動、あるいは、ロック解除作動されてなる請求項１に記載の昇降床の支持脚構造
【請求項５】
昇降床がプールの水槽内における底床の上方に配在されながら水中で浮上する浮力を有してなり、支持脚における下方脚部材の基端を枢着させる固定側が上記の底床とされてなる請求項１に記載の昇降床の支持脚構造
【発明の詳細な説明】
【技術分野】
【０００１】
この発明は、昇降床の支持脚構造に関し、特に、プールへの利用に適する昇降床の支持脚構造の改良に関する。
【背景技術】
【０００２】
たとえば、近年のプールの中には、水槽の底床たる固定床の上方に昇降床を有しており、この昇降床を適宜の手段で昇降させることで、水槽の深さを変更できるとするものがある（たとえば、特許文献１参照）。
【０００３】
すなわち、特許文献１に提案のプールにあっては、水槽内の水中で浮く浮力を有する昇降床が水槽の底床側に牽引部材で牽引されてなるとするもので、この牽引部材たるワイヤロープを水槽の底床に保持されたドラムで巻き取りあるいはドラムから引き出すとしている。
【０００４】
そして、ドラムは、水槽外に配置された適宜の駆動源に連繋されてなるとするもので、それゆえ、この特許文献１に提案のプールでは、上記の駆動源を駆動することで昇降床を昇降し得ることになる。
【特許文献１】特開平７−１６６７２７号公報（特許請求の範囲  請求項１，段落０００１，同０００６，同０００７，図２）
【発明の開示】
【発明が解決しようとする課題】
【０００５】
しかしながら、上記した提案にあっては、牽引部材たるワイヤロープが水中に在るためにこのワイヤロープが錆びることがあり、ワイヤロープが錆びた場合には、この錆が水中に混入して水質を汚濁する危惧があり、プールの性質上好ましくない結果を招く可能性がある。
【０００６】
すなわち、上記の提案では、水槽内の水を抜いたプールの不使用時に昇降床を水槽の底床に着床させておく場合以外に、昇降床を所望の高さ位置に維持するについては、水槽内に必ず水が在ることが必須になるから、上記の牽引部材たるワイヤロープが常に水中に在り、したがって、このワイヤロープが錆びることが、また、錆の水中への混入が当然に予想されることになる。
【０００７】
また、強いて言えば、上記の提案では、浮力を有する昇降床を牽引部材で下方に引く構成とされているから、牽引部材の巻き取り長さあるいは引き出し長さが区々となるときには、昇降床の高さを全体に均一化できなくなると指摘される可能性がある。
【０００８】
この発明は、このような現状を鑑みて創案されたものであって、その目的とするところは、たとえば、プールに利用するとき、いたずらな水質汚濁の危惧がなく、また、昇降床全体を所望の高さ位置に均一に位置決めることを容易にして、その汎用性の向上を期待するのに最適となる昇降床の支持脚構造を提供することである。
【課題を解決するための手段】
【０００９】
上記した目的を達成するために、この発明による昇降床の支持脚構造の構成を、請求項１では、適宜の手段で昇降する昇降床と、この昇降床を下方から支持する支持脚とを有してなり、支持脚が昇降床に連結される上方脚部材と、昇降床の下方の固定側に連結される下方脚部材とを有すると共に、上方脚部材と下方脚部材との枢着部にロック機構を有し、このロック機構が上記の枢着部における相互回動を可能にすると共に相互回動阻止を可能にしてなるとする。
【００１０】
そして、請求項２では、上方脚部材における昇降床への枢着点と下方脚部材における固定側への枢着点とを結ぶ上下の線を上方脚部材と下方脚部材との枢着点が横切るように越えるとき、支持脚の折り畳みが可能とされ、あるいは、支持脚の折り畳みが阻止されてなるとする。
【００１１】
また、上方脚部材と下方脚部材との枢着部に連繋されると共に水平方向の推力の作用時に支持脚の折り畳み、あるいは、引き展ばしを可能にする外力手段を有してなるとする。
【００１２】
さらに、支持脚が一方側の支持脚と他方側の支持脚の左右一対とされると共に、この一対となる支持脚間に駆動手段が配在されてなり、この駆動手段の作動で一方側の支持脚と他方側の支持脚のそれぞれに配在のロック機構がロック作動、あるいは、ロック解除作動されてなるとする。
【００１３】
そしてまた、昇降床がプールの水槽内における底床の上方に配在されながら水中で浮上する浮力を有してなり、支持脚における下方脚部材の基端を枢着させる固定側が上記の底床とされてなるとする。
【発明の効果】
【００１４】
それゆえ、請求項１の発明にあっては、昇降床を下方から支持する支持脚の折り畳みおよび引き展ばしを可能にするロック機構におけるロック機能のいわゆるオン・オフ操作の選択で昇降床を所望の高さ位置に固定状態に停止させ得ると共にその状態を維持できることになる。
【００１５】
ちなみに、支持脚を形成する上方脚部材および下方脚部材が共に板材からなる場合には、これがワイヤロープからなる場合に比較して、伸びや縮みによる大きい寸法変化を危惧しなくて済むことになる。
【００１６】
そして、請求項２の発明にあっては、上方脚部材と下方脚部材の枢着部における枢着点がいわゆるデッドポイントを越えることで、上方脚部材と下方脚部材との間における折り畳みが可能になり、また、折り畳み阻止が可能になる。
【００１７】
また、請求項３の発明にあっては、上方脚部材と下方脚部材との間における折り畳みが可能とされているときに、外力手段からの外力が枢着部に作用することで、この枢着部における枢着点が上記のデッドポイントの通過を可能とされることになり、上方脚部材と下方脚部材との間における折り畳みおよび折り畳み阻止がそれぞれ可能になる。
【００１８】
さらに、請求項４の発明にあっては、支持脚が左右で一対とされることで、互いに相手のいわゆる倒れを阻止しながら昇降床を支持することから、各支持脚における機械的強度をいたずらに大きく設定しなくて済み、単一の駆動手段を共用するから、ロック機能を同期させることが可能になる。
【００１９】
そしてまた、請求項５の発明にあっては、昇降床が水中で浮力を有することから、プールの水槽内に配在されるとき、水槽水位内の水位を昇降させるだけで、昇降床の昇降が可能になり、下方脚部材がプールの底床に連結されることで、昇降床の単独上昇が阻止されることになる。
【００２０】
その結果、この発明によれば、たとえば、プールに利用するとき、いたずらな水質汚濁の危惧がなく、また、昇降床全体を所望の高さ位置に均一に位置決めることを容易にして、その汎用性の向上を期待するのに最適となる。
【発明を実施するための最良の形態】
【００２１】
以下に、図示した実施形態に基づいて、この発明を説明するが、この発明による昇降床の支持脚構造は、この実施形態では、図１および図２に示すように、プールＰに具現化されるとしており、それゆえ、昇降床１は、プールＰの水槽Ｐ１内における底床Ｐ２の上方に配在されながら水中で浮上する浮力を有してなるとしている。
【００２２】
そして、この昇降床１を下方から支持するのが支持脚２で、この支持脚２は、昇降床１に連結される上方脚部材２１と、昇降床１の下方となる固定側、すなわち、上記の底床Ｐ２に連結される下方脚部材２２とを有して、いわゆる折り畳み可能に形成されてなるとしている。
【００２３】
さらに、この発明では、上方脚部材２１と下方脚部材２２との枢着部ａにロック機構３を有してなり、このロック機構３が上記の枢着部ａにおける上方脚部材２１と下方脚部材２２との間の相互回動を可能にすると共に上方脚部材２１と下方脚部材２２との間の相互回動阻止を可能にするとしている。
【００２４】
少し説明すると、まず、この発明にあって、昇降床１は、基本的には、適宜の手段で昇降されるとしているが、図示するように、昇降床１がプールＰにおける水槽Ｐ１内に配在される場合には、この昇降床１が水中で浮上する浮力を有することで、少なくとも、水槽Ｐ１内に水が流入され、あるいは、水槽Ｐ１内の水が外部に流出されるときに、その際の水位に応じるようにして、すなわち、他に動力源などを要せずして昇降し得るとしている。
【００２５】
このとき、昇降床１が浮力を有するようにするについて、種々の構成が選択されて良く、図示しないが、たとえば、昇降床１がエアを貯留する構造に設定される場合には、一部を閉鎖型のタンク部にし、他部をエアの流出入、すなわち、水の流出入を許容する開放型のタンク部にするのが良く、この場合には、昇降床１の全部を開放型のタンク部に設定する場合に比較して、いわゆる省エネを実現し得るのはもちろんのこと、開放型のタンク部におけるエアの占有量を可変にすることで、昇降床１における浮力の大小を選択でき、たとえば、昇降床１における浮力に基づく支持力の大小、および、昇降床１における昇降速度の遅速の選択を可能にし得ることになる。
【００２６】
つぎに、支持脚２は、昇降床１に連結される上方脚部材２１と、固定側たるプールＰの底床Ｐ２に連結される下方脚部材２２とを有していて、いわゆる折り畳み可能に形成され、昇降床１の変化する高さ位置に応じられるとしている。
【００２７】
のみならず、この支持脚２にあっては、上方脚部材２１と下方脚部材２２との枢着部ａに有するロック機構３が枢着部ａにおける上方脚部材２１と下方脚部材２２との間の相互回動をおよび相互回動阻止を可能にするとしている。
【００２８】
それゆえ、この支持脚２にあっては、ロック機構３の機能するところで、上方脚部材２１と下方脚部材２２との間における折り畳み作動を阻止し、あるいは、任意の折り畳み状態を維持して、昇降床１を任意の昇降状態に維持し得ると共に、上方脚部材２１と下方脚部材２２との間における折り畳み、あるいは、引き展ばしを可能にして、昇降床１を任意の昇降状態に変更し得ることになる。
【００２９】
ところで、この発明にあって、支持脚２は、上記したように、折り畳みを可能にする一方で、自己の形態で折り畳み阻止を可能にするようにも設定されているが、具体的には、図３に示すように、上方脚部材２１における昇降床１への枢着点ｂと下方脚部材２２における固定側たる底床Ｐ２への枢着点ｃとを結ぶ上下の線ｄを上方脚部材２１と下方脚部材２２との枢着点ｅが水平方向に横切るように越えるとき、支持脚２の折り畳みが可能とされ、あるいは、支持脚２の折り畳みが阻止されるとしている。
【００３０】
すなわち、図３中に実線図で示すところは、上方脚部材２１と下方脚部材２２の枢着部ａ（符示せず）における枢着点ｅが線ｄからなるいわゆるデッドポイントを越えて、図中で左側にあるときで、このとき、他から外力の作用を受けることなくして、自己の形態で支持脚２の折り畳みが阻止された状況におかれるとしている。
【００３１】
そして、図３中に仮想線図で示すところは、上記の枢着点ｅが線ｄ上にあり、このとき、支持脚２が最伸長状態にあり、すなわち、最も引き展ばされた状態にあり、この状態から、図示しないが、枢着点ｅが線ｄを横切るように越えることになると、以降、図２中の右側に示すように、支持脚２が折り畳まれた状態になり得ることになる。
【００３２】
ちなみに、図３中に実線図で示す支持脚２の折り畳みが阻止されている状態から、図３中に仮想線図で示す支持脚２の最伸長状態への移行は、同図中矢印で示すように、後述する外力手段４からの外力の作用によるとしても良い。
【００３３】
しかし、この発明では、昇降床１が適宜の手段で上昇されることで具現化されるとし、特に、図示する実施形態では、この発明がプールＰに具現化されることから、前述したことであるが、水槽Ｐ１内における水位の上昇で昇降床１が上昇するとし、この水位の上昇による昇降床１の上昇で、上記した実線図で示す態様から仮想線図で示す態様への移行が具現化されるとしている。
【００３４】
ところで、上記の外力手段４についてであるが、この実施形態にあっては、図１および図２に示すように、エアシリンダからなるとしており、図１に示す収縮状態のときに、支持脚２を図３中に実線図で示す折り畳み阻止状態にし、図２に示す伸長状態のときに、支持脚２を図３中に仮想線図で示す最伸長状態にするとしている。
【００３５】
ちなみに、図示する実施形態にあっては、複数本ある支持脚２の半数がいわゆる反対向きに折り畳まれるとしており、したがって、外力手段４たる一本のエアシリンダで同期作動させるために、各支持脚２が連結ロッド４１で連結されると共に、反転リンク４２で上記のいわゆる反対向きに折り畳みを可能にするように構成されている。
【００３６】
なお、支持脚２は、上記した外力手段４の作動で折り畳まれ、また、引き展ばされるが、この作動のときには、後述するロック機構３がいわゆる解除状態におかれているのはもちろんである。
【００３７】
また、上記したところでは、外力手段４たるエアシリンダが収縮するときに、支持脚２が引き展ばされ、エアシリンダが伸長するときに、支持脚２が折り畳まれるとしているが、この外力手段４の機能するところからすれば、上記したところと逆に、図示しないが、エアシリンダが伸長するときに、支持脚２が引き展ばされ、エアシリンダが収縮するときに、支持脚２が折り畳まれるとしても良いことはもちろんである。
【００３８】
さらに、図示するところでは、昇降床１にエアを供給して浮力を大きくし、したがって、昇降床１を水槽Ｐ１内で上昇させるときには、エアシリンダにエアを供給せずしてこれを収縮させるとし、また、昇降床１のエアを外部に排出して浮力を小さくし、それゆえ、昇降床１を水槽Ｐ１内で下降させるときには、エアシリンダにエアを供給してこれを伸長させるとしているが、これとは逆に、昇降床１にエアを供給してこれを上昇させるときにエアシリンダにもエアを供給し、また、昇降床１のエアを排出してこれを下降させるときにエアシリンダ内のエアを外部に排出させるとしても良いことはもちろんであり、前者による場合には、エアシリンダの伸縮制御と昇降床１の昇降制御を別にできるから、いわゆる駆動源たるエアポンプをいたずらに大きく設定しなくて済む利点があり、後者による場合には、エアシリンダの伸縮制御と昇降床１の昇降制御とを同期して実行できることになる点で有利となる。
【００３９】
一方、この発明にあって、支持脚２は、前記したように、ロック機構３の作動するところによって、折り畳みあるいは引き展ばしが可能とされると共に、折り畳みあるいは引き展ばしが阻止されるとしている。
【００４０】
そのため、このロック機構３は、たとえば、支持脚２における下方脚部材２１に連結されるインナーブラケット３１と、支持脚２における上方脚部材２２に連結されるアウターブラケット３２と、インナーブラケット３１の軸芯部を挿通しながらアウターブラケット３２に分離可能に噛合する噛合ブラケット３３とを有してなるとしている。
【００４１】
このとき、インナーブラケット３１と噛合ブラケット３３は、同期回転するようにキー部材３４の配在下に一体的に連繋されており、また、アウターブラケット３２と噛合ブラケット３３は、互いに噛み合い状態になる歯３２ａ，３３ａを有してなるとし、さらに、図示するところでは、アウターブラケット３２に前記した外力手段４たるエアシリンダに連結されるブラケット４３が連繋されてなるとしている。
【００４２】
それゆえ、図４に示すように、噛合ブラケット３３の歯３３ａがアウターブラケット３２の歯３２ａに噛合するとき、アウターブラケット３２が噛合ブラケット３３との間における回転を阻止される状態でこの噛合ブラケット３３に一体化され、この噛合ブラケット３３にはキー部材３４の配在下にインナーブラケット３１が一体的に連結されていることから、結果的にアウターブラケット３２とインナーブラケット３１との間における回動が阻止される、すなわち、上記した下方脚部材２２と上方脚部材２１との枢着部ａ（図１および図２参照）での回動が阻止されることになる。
【００４３】
そして、図５に示すように、噛合ブラケット３３の歯３３ａとアウターブラケット３２の歯３２ａとの噛合が解除されるとき、アウターブラケット３２と噛合ブラケット３３との間における自由回転が許容され、それゆえ、この噛合ブラケット３３にキー部材３４の配在下に連結するインナーブラケット３１のアウターブラケット３３に対する自由回転が許容されることになり、その結果、上記の下方脚部材２２と上方脚部材２１との枢着部ａでの回動が許容されることになる。
【００４４】
ところで、このロック機構３におけるロック状態およびロック解除状態の選択は、図６に示す駆動手段５の作動で実現されるとしており、このとき、支持脚２にあっては、図６中で左側となる一方側の支持脚２と図６中で右側となる他方側の支持脚２の左右一対とされると共に、この左右で一対となる支持脚２の間に駆動手段５が配在されてなるとし、この駆動手段５が上記したロック機構３に連繋されてなるとしている。
【００４５】
すなわち、この駆動手段５は、エアシリンダからなり、ロッド体５１がシリンダ体５２から突出するときに、ロック機構３において、ロック状態が解除され、ロッド体５１がシリンダ体５２内に没入するときに、ロック機構３において、ロック状態になるとしている。
【００４６】
そして、支持脚２が左右で一対となるこの状態のときには、各支持脚２が互いに相手のいわゆる倒れを阻止しながら昇降床１を支持することになるから、各支持脚２における機械的強度をいたずらに大きく設定しなくて済むのはもちろんのこと、単一の駆動手段５を共同するから、いわゆる左右の各ロック機構３におけるロック機能およびロック解除機能を同期させることが可能になる点で有利となる。
【００４７】
以上のように形成されたこの発明による昇降床の支持脚構造にあっては、たとえば、図２に示すように、プールＰにおいて、水槽Ｐ１内の昇降床１が底床Ｐ２近くにあるように支持脚２が折り畳まれた状態にあり、また、ロック機構３によって支持脚２の折り畳み状態が維持されている状況下に、プールＰの水槽Ｐ１内に水を流入すると、所望の深さのプールＰが準備されることになる。
【００４８】
このとき、プールＰにおける深さを変更したい、たとえば、浅くしたい場合には、ロック機構３をいわゆる解除状態にすると共に、外力手段４たるエアシリンダの収縮状況を選択することで、昇降床１を所望の深さになるように自らの浮力で上昇させることが可能になる。
【００４９】
そして、昇降床１が所望の深さ位置まで上昇したときには、上記のエアシリンダの収縮を停止させると共にロック機構３をロック作動させるとする。
【００５０】
ちなみに、昇降床１の上昇速度を速くしたい場合には、エアシリンダを無負荷状態にした上で、昇降床１にエアを供給して昇降床１における浮力を大きくするのが良い。
【００５１】
以上のようにして利用状態におかれたプールＰにあって、上記と逆の手順を採れば、昇降床１を水槽Ｐ１内で下降させることが可能になるが、仮に、プールＰを不使用状態にする場合には、エアシリンダを無負荷状態にすると共に、ロック機構３をロック解除状態にする。
【００５２】
これによって、昇降床１が浮力を有することから水中で浮上するようになり、その結果、支持脚２が図３中に仮想線図で示す最伸長状態になり、この状態からエアシリンダを伸長させれば、支持脚２における上方脚部材２１と下方脚部材２２の枢着部ａにおける枢着点ｅがいわゆるデッドポイントを越えて折り畳み可能な状態になる。
【００５３】
この状態からプールＰの水槽Ｐ１内の水を外部に流出させれば、水位に応じて昇降床１が下降することになり、このとき、昇降床１を下降させるために、いわゆる水を抜く以外に動力を要しないことになる。
【００５４】
以上の各動作にあって、図示するところではエアシリンダを水中での動力源とするから、前記した特許文献１に開示の提案にあっては、仮に、エア漏れがあるとしても、水質汚濁を招来し難くなる点で有利となる。
【００５５】
また、支持脚２を形成する上方脚部材２１および下方脚部材２２が共に板材からなる場合には、これが前記した特許文献１に開示の提案のようにワイヤロープからなる場合に比較して、伸びや縮みによる大きい寸法変化が招来されず、昇降床１の高さが均一化されなくなることを危惧しなくて済むことになる。
【００５６】
そして、板材からなる上方脚部材２１および下方脚部材２２は、ワイヤロープに比較すれば、錆から護るのが容易になり、その限りでは、錆の招来や錆によるいたずらな水質汚濁を危惧しなくて済む点からも有利となる。
【００５７】
前記したところは、この発明による昇降床の支持脚構造がプールＰに具現化されるとしたが、この発明の意図するところからすれば、図示しないが、たとえば、リフト装置に具現化されるとしても良く、その場合には、昇降床１は、浮力を有することが条件にされないことはもちろんである。
【図面の簡単な説明】
【００５８】
【図１】この発明による昇降床の支持脚構造をプールに具現化した状態を示す概略縦断面図である。
【図２】プールの水槽内で昇降床を下降させた状態を図１と同様に示す図である。
【図３】折り畳み阻止状態にある支持脚を最伸長状態にする場合と共に示す拡大図である。
【図４】ロック機構がロック状態にあるところを示す図である。
【図５】ロック機構がロック解除状態にあるところを図４と同様に示す図である。
【図６】一対の支持脚が駆動手段で連繋されている状態を示す図である。
【符号の説明】
【００５９】
１  昇降床
２  支持脚
３  ロック機構
４  外力手段
５  駆動手段
２１  上方脚部材
２２  下方脚部材
３１  インナーブラケット
３２  アウターブラケット
３２ａ，３３ａ  歯
３３  噛合ブラケット
３４  キー部材
４１  連結ロッド
４２  反転リンク
４３  ブラケット
５１  ロッド体
５２  シリンダ体
Ｐ  プール
Ｐ１  水槽
Ｐ２  底床
ａ  数着部
ｂ，ｃ，ｅ  枢着点
ｄ  線
【図１】
2005042387.tif 000003
【図２】
2005042387.tif 000004
【図３】
2005042387.tif 000005
【図４】
2005042387.tif 000006
【図５】
2005042387.tif 000007
【図６】
2005042387.tif 000008